(57)【要約】  イヤホンであって、イヤホン本体１０、イヤホンコード２０及び固定部材３０、３０ａを備え、イヤホン本体１０はイヤーピース部１１、接続部１２及び本体部１３を備え、該固定部材３０、３０ａは中央が貫通孔３５である環状物であって、環状物の縁部に位置する、軟質材料で製造された頂壁３１を備え、該接続部１２はイヤーピース部１１と本体部１３を接続し、該接続部１２は該貫通孔３５を通り抜いて該固定部材３０、３０ａに係止固定され、該固定部材３０、３０ａ及び該接続部１２が耳の耳甲介腔に置かれる。固定部３０、３０ａの頂壁３１が変形しやすい材料で製造されるため、耳甲介腔に押出されるとき、自己適応的に変形することで異なる耳甲介腔に適用し、それによりイヤホンの着用快適性を向上させる。
2019525601.tif 000002
【特許請求の範囲】
【請求項１】
イヤホンであって、
イヤーピース部（１１）、接続部（１２）及び本体部（１３）を備えるイヤホン本体（１０）と、
中央が貫通孔（３５）である環状物であって、環状物の縁部に位置する、軟質材料で製造された頂壁（３１）を備える固定部材（３０、３０Ａ）と、を備え、
該接続部（１２）は、イヤーピース部（１１）と本体部（１３）を接続し、該接続部（１２）は該貫通孔（３５）を通り抜けて該固定部材（３０、３０Ａ）に係止固定され、該固定部材（３０、３０Ａ）及び該接続部（１２）は耳の耳甲介腔に置かれ、該固定部材（３０）が耳の耳骨により該耳甲介腔に固定され、該固定部材（３０）の頂壁（３１）が該耳甲介腔の押出によって弾性変形するイヤホン。
【請求項２】
該耳骨は耳珠（Ａ）及び対珠（Ｂ）を含み、該固定部材（３０）が該耳珠（Ａ）及び対珠（Ｂ）により該耳甲介腔に固定される請求項１に記載のイヤホン。
【請求項３】
該頂壁（３１）がシリカゲルで製造される請求項１に記載のイヤホン。
【請求項４】
該頂壁（３１）が薄肉であるため、変形しやすい請求項３に記載のイヤホン。
【請求項５】
該固定部材（３０）は更に環状物の両側に位置する側壁（３２）を備え、該頂壁（３１）が側壁（３２）とともに空気槽（３３）を形成するように取り囲まれる請求項１に記載のイヤホン。
【請求項６】
該頂壁（３１）に換気孔（３４）が設けられ、頂壁（３１）が変形するとき、空気槽（３３）内の空気が該換気孔（３４）から排出できる請求項５に記載のイヤホン。
【請求項７】
該側壁（３２）が所定の硬度を有する材料で製造されるため、該固定部材（３０、３０Ａ）が支持作用を果たす請求項５に記載のイヤホン。
【請求項８】
該側壁（３２）が硬質材料又は厚さを有する軟質材料で製造される請求項６に記載のイヤホン。
【請求項９】
該換気孔（３４）が該固定部材（３０、３０Ａ）の上部に設けられる請求項８に記載のイヤホン。
【請求項１０】
該固定部材（３０、３０Ａ）で形成された環状物が円形であり、又は該環状物は耳珠側に位置する部分が円形を呈するが、対珠側に位置する部分が楕円形を呈する請求項１に記載のイヤホン。
【請求項１１】
該固定部材（３０）の断面において、該空気槽（３３）がダンベル状を呈し、該断面が該固定部材（３０）の位置する平面に垂直であって、該固定部材（３０）の直径を通る請求項５に記載のイヤホン。
【発明の詳細な説明】
【技術分野】
【０００１】
本発明は、オーディオ再生装置に関し、特にイヤホンに関する。
【背景技術】
【０００２】
イヤホンは普及されているオーディオ再生装置の１つとして既に人々の仕事と生活の中で不可欠なものとなった。従って、その優位性の評価の中で、オーディオ品質を除き、着用快適性と安定性も不可欠な評価要素となった。
【０００３】
しかしながら、周知のように、人間の外耳の構造が極めて複雑であり、且つ誰でも同じではなく、その主な相違は耳甲介腔の直径と深さ、耳珠と対珠の発育状況が異なると具現される。従って、デザイナー又はエンジニアはイヤホンのカナル部（耳の耳甲介腔の内部に置かれる部材）の形状を最も簡素化された形状に縮小することにより、多くの複雑な状況に適用する必要がある。
【０００４】
しかしながら、依然として大きさ又は形状が適切ではない状況があり、このため、着用快適性と安定性を低下させてしまう。
【発明の概要】
【発明が解決しようとする課題】
【０００５】
本発明が解決しようとする技術的問題は自己適応的に調整することで多くの人の外耳の構造に適用することができるイヤホンを提供することである。
【課題を解決するための手段】
【０００６】
上記技術的問題を解決するために、本発明は以下の技術案を提供する。
【０００７】
一側面において、本発明はイヤホンを提供し、イヤーピース部、接続部及び本体部を備えるイヤホン本体と、中央が貫通孔である環状物であって、環状物の縁部に位置する、軟質材料で製造された頂壁を備える固定部材と、を備え、該接続部はイヤーピース部と本体部を接続し、該接続部は該貫通孔を通り抜けて該固定部材に係止固定され、該固定部材及び該接続部は耳の耳甲介腔に置かれる部材である。
【０００８】
いくつかの実施例では、該耳骨は耳珠及び対珠を含み、該固定部材が該耳珠及び対珠により該耳甲介腔に固定される。
【０００９】
いくつかの実施例では、該頂壁がシリカゲルで製造される。
【００１０】
いくつかの実施例では、該頂壁が薄肉であるため、変形しやすい。
【００１１】
いくつかの実施例では、該固定部材は更に環状物の両側に位置する側壁を備え、該頂壁が側壁とともに空気槽を形成するように取り囲まれる。
【００１２】
いくつかの実施例では、該頂壁に換気孔が設けられ、頂壁が変形するとき、空気槽３３内の空気が該換気孔から排出できる。
【００１３】
いくつかの実施例では、該側壁が所定の硬度を有する材料で製造されることにより、該固定部材３０、３０Ａが支持作用を果たす。
【００１４】
いくつかの実施例では、該側壁が硬質材料又は厚さを有する軟質材料で製造される。
【００１５】
いくつかの実施例では、該換気孔が該固定部材の上部に設けられる。
【００１６】
いくつかの実施例では、該固定部材で形成された環状物が円形であり、又は該環状物は耳珠側に位置する部分が円形を呈するが、対珠側に位置する部分が楕円形を呈する。
【００１７】
いくつかの実施例では、該固定部材の断面において、該空気槽がダンベル状を呈し、該断面は該固定部材の位置する平面に垂直であり、該固定部材の直径を通る。
【発明の効果】
【００１８】
本発明の有益な効果は、固定部の頂壁が変形しやすい材料で製造されるため、耳甲介腔に押出されるとき、自己適応的に変形することで異なる耳甲介腔に適用することである。それによりイヤホンの着用快適性を向上させる。
【図面の簡単な説明】
【００１９】
【図１】本発明のイヤホンの具体的な実施形態１の立体模式図である。
【図２】図１における固定部材３０の断面図である。
【図３】図１における固定部材３０の立体拡大図である。
【図４】図１における耳に着用される使用状態図である。
【図５】本発明のイヤホンの具体的な実施形態２の固定部材３０ａの立体模式図である。
【発明を実施するための形態】
【００２０】
本発明の目的、技術案及び利点をより明確にするために、以下に図面を参照しながら実施例によって本発明を更に詳しく説明する。ここで説明される具体的な実施例は本発明を解釈するためのものであって、本発明を制限するためのものではないと理解すべきである。
【００２１】
なお、衝突しない限り、以下に説明される本発明の各実施形態に関わる技術的特徴を互いに組み合わせてもよい。
【００２２】
図１及び図２に本発明のイヤホンの具体的な実施形態１を示し、イヤホン本体１０、イヤホンコード２０及び固定部材３０を備える。
【００２３】
イヤホン本体１０は、イヤーピース部１１、接続部１２及び本体部１３を備える。イヤーピース部１１は着用時に人体の外耳道に置かれる部材であり、本体部１３はイヤホンの主な回路部品及び拡声部品を収容する部材であり、着用時に耳の耳甲介腔の外部に位置し、接続部１２はイヤーピース部１１と本体部１３を接続し、着用時に耳の耳甲介腔に置かれる。
【００２４】
イヤホンコード２０が本体部１３の底部から通り抜き、該イヤホンは、例えばブルートゥース（登録商標）ワイヤレスイヤホンのようにイヤホンコード２０を有しなくてもよい。具体的な本実施形態はイヤホンコード２０を備えるイヤホンを例として本発明を説明する。
【００２５】
固定部材３０が環状物であり、該環状物体の中央が貫通孔３５であり、接続部１２が該貫通孔３５を通り抜けて該固定部材３０に係止固定される。具体的な実施形態１では、該環状物が正円である。好ましくは、該貫通孔３５の形状及び大きさが接続部１２の外表面にマッチングし、係止固定の安定性を確保することができる。
【００２６】
図２及び図３に示すように、該固定部材３０は環状物の縁部に位置する頂壁３１を備え、該頂壁３１は、例えばシリカゲル又は他のソフトビニールのような軟質材料で製造される。該頂壁３１が外力を受けて押出されるとき、変形しやすい。好ましくは、該頂壁３１の厚さがより薄く、変形しやすい。
【００２７】
好ましくは、該固定部材３０は更に環状物の両側に位置する側壁３２を備え、頂壁３１が側壁３２とともに空気槽３３を形成するように取り囲まれる。つまり、固定部材３０の内部が中空状を呈し、全体の形状がタイヤに類似する。図２に示すように、該空気槽３３の断面がダンベル状を呈し、該断面が該固定部材３０の位置する平面に垂直であり、該固定部材３０の直径を通って、つまり、両端が大きくて中間が細い形状である。空気槽３３の該形状は固定部材３０によって該固定部材３０の互換性を向上させることができるだけでなく、更に安定した快適な着用効果を実現することもできるように確保することができる。
【００２８】
好ましくは、該側壁３２は所定の硬度を有する材料で製造され、具体的に、硬質材料を用いてもよいし、厚さを有する、例えば厚いシリカゲル又は厚い他のソフトビニール材料のような軟質材料を用いてもよい。耳甲介腔に置かれるとき、支持作用を果たし、外力による引張に起因して変形して耳甲介腔から脱出しなければよい。
【００２９】
好ましくは、該頂壁３１に換気孔３４が設けられ、頂壁３１が変形するとき、空気槽３３内の空気が該換気孔３４から排出できる。好ましくは、該換気孔３４が該固定部材３０の上部に設置され、着用時、該換気孔３４が耳甲介腔から露出する。所謂上部は着用時のイヤホンの上向き部位である。
【００３０】
図４に示すように、使用時、イヤーピース部１１が外耳道に置かれ、固定部３０及び接続部１２が一緒に耳甲介腔に置かれ、つまり、固定部材３０及び接続部１２が耳の耳甲介腔に置かれるイヤホンの部材である。耳珠Ａ及び対珠Ｂが固定部３０の側壁３２に作用し、耳珠Ａ、対珠Ｂ及び耳甲介腔が共に囲まれて形成されたスペースは、固定部３０に対して上向き力以外の他の方向における支持力を形成し、これにより、固定部３０を耳甲介腔に係設する。換気孔３４が固定部３０の上部に位置し、頂壁３１が押出されるとき、空気槽３３内の空気が該換気孔３４から排出される。
【００３１】
固定部３０の側壁３２が所定の硬度を有し、変形しにくいため、安定した支持作用を果たすことができる。そして、頂壁３１が変形しやすい材料で製造されるため、耳甲介腔に押出されるとき、自己適応的に変形することで異なる耳甲介腔に適用する。
【００３２】
本発明の具体的な実施形態１では、固定部材３０が変形しやすい頂壁３１を用いるため、異なる人の耳甲介腔に自己適応的に変化し、それによりイヤホンの着用快適性を向上させる。同時に、固定部材３０が変形しにくい側壁３２を用いるため、該固定部材３０が耳珠Ａ及び対珠Ｂにより耳甲介腔に係設されるとき、側壁３２が変形するため、耳珠Ａと対珠Ｂとの間の隙間から脱出することがなく、それによりイヤホンの着用安定性を確保する。
【００３３】
図５は本発明のイヤホンの具体的な実施形態２の固定部材３０Ａの立体図である。該具体的な実施形態２が上記具体的な実施形態１と異なるところは、該固定部材３０Ａの対珠側に位置する一部が楕円状を呈することである。全体的には、固定部材３０Ａが横向きの水滴状に類似する。該形状の固定部材３０Ａが人体の耳甲介腔の形状によりマッチングし、着用快適性と安定性を更に向上させることができる。
【００３４】
以上の説明は本発明の好適な実施例であって、本発明を制限するためのものではなく、本発明の趣旨及び原則を逸脱せずに行ったいかなる修正、等価置換及び改良等は、いずれも本発明の保護範囲内に含まれるべきである。
【符号の説明】
【００３５】
１０  イヤホン本体
１１  イヤーピース部
１２  接続部
１３  本体部
２０  イヤホンコード
３０、３０ａ  固定部材
３１  頂壁
３２  側壁
３３  空気槽
３４  換気孔
３５  貫通孔
Ａ  耳珠
Ｂ  対珠
【図１】
2019525601.tif 000003
【図２】
2019525601.tif 000004
【図３】
2019525601.tif 000005
【図４】
2019525601.tif 000006
【図５】
2019525601.tif 000007
【国際調査報告】
2019525601.tif 000008
2019525601.tif 000009
2019525601.tif 000010
2019525601.tif 000011